Podtech/llm-jp-corpus-v4-ja_patent huggingface dataset:
(57)【要約】      （修正有）【課題】スマートフォンカバーに入れたスマートフォンで写真撮影、ビデオ撮影が簡単に出来るスマートフォンカバーを提供する。【解決手段】スマートフォンカバーは、表側シート部１２の厚紙と裏側シート部１３の厚紙にそれぞれ穴を開け、その穴に磁石１を載せ、磁石１が入った厚紙を上下のシートでふさぐ。スマートフォンカバーの中に埋め込んだ磁石１に金属の板７を載せることにより、裏側シート部１３と表側シート部１２が真っすぐに伸び、表側シート部１２が前後にヒラヒラと動いていたのがキッチリと固定されたため、写真撮影、ビデオ撮影が可能となる。【選択図】図２
0003234832.tif 000002
【実用新案登録請求の範囲】
【請求項１】
スマートフォンカバーにおいて、表側シート部の厚紙と裏側シート部の厚紙にそれぞれ穴を開けて、その穴に磁石を載せて両方の磁石が金属に引っ付くことを特徴とするスマートフォンカバー。
【請求項２】
スマートフォンカバーに使用する金属に、色、模様等を付けることを特徴とするスマートフォンカバー。
【考案の詳細な説明】
【技術分野】
【０００１】  本考案は、スマートフォンの手帳型スマートフォンカバーにおいて、写真撮影、ビデオ撮影が可能にするためのスマートフォンカバーに関するものである。
【背景技術】
【０００２】  スマートフォンカバーの表側シート部が撮影時前後に揺れるため、スマートフォンで撮影しょうとしても綺麗に撮影が出来ない。表側シート部を固定し、写真撮影、ビデオ撮影を簡単に出来ないかを考えたものである。
【考案の概要】
【考案が解決しようとする課題】
【０００３】  これは、次のような欠点があった。
従来、スマートフォンカバーに入れたスマートフォンで写真撮影、ビデオ撮影をする場合、表側シート部がヒラヒラ前後に動き、指でそのシートを固定しなければ撮影は不可能であった。指を使わないで表側シート部を固定するという手帳型カバーはない。本考案は、以上のような欠点を無くすためになされたものであり、スマートフォンで写真撮影、ビデオ撮影をしたい子供から大人まですべての人を対象に、安心して何時でも撮影が出来るようになされた画期的な考案である。
【課題を解決するための手段】
【０００４】  本考案のスマートフォンカバーにおいて、裏側シート部と表側シート部の厚紙にそれぞれ穴を開けて、磁石を載せて、両方の磁石が金属に引っ付くことを特徴とするスマートフォンカバー。
スマートフォンカバーに使用する金属に色、模様を付けることを特徴とするスマートフォンカバー。本考案は、以上のような構造である。
【考案の効果】
【０００５】  請求項１記載の考案は、今までスマートフォンカバーで写真撮影、ビデオ撮影をする際、スマートフォン本体の横にある表側シート部を留めると言う発想が無く、スマートフォンカバーはスマートフォンに比べて、落下しても大事な液晶画面が保護されているので、撮影時表側シート部がヒラヒラと動いても、これがスマートフォンカバーであるとすべての国民が諦めていたと思われる。スマートフォンカバーの中に磁石を埋め込み、スマートフォンの裏側のシートに金属の板を磁石が埋め込んでいる２か所に置けば、磁石の磁力で金属に強く引っ付き、外れないためシートが一直線になり、スマートフォンで写真撮影、ビデオ撮影をしたい子供から大人まですべての人が、安心して撮影することができる。きわめて便利である。
誰もが使える新しいタイプの画期的なスマートフォンカバーである。
【考案を実施するための形態】
【０００６】  以下、本考案の実施の形態を図面に基づき詳細に説明する。
【０００７】  図１は、本考案のスマートフォンカバーの解体状態を示す参考斜視図で、真ん中の表側シート部側の厚紙と裏側シート部側の厚紙にそれぞれ穴を開け、その穴に厚さ１ミリ以下の磁石を載せ、その後、その磁石が入った厚紙を上下のシートでふさぎその後、図２のように金属を載せれば本考案のスマートフォンカードが出来上がる。
【０００８】  図２は、本考案の裏側シート部と表側シート部に載せた磁石に、厚さ０，０５ミリ程度の超軽い金属板を載せ、取り付けた状態を示す参考斜視図である。
【０００９】  図３は、図２によって金属を磁石に取り付けたところ、表側シート部は動かないためスマートフォンを手に持ち、簡単に写真撮影、ビデオ撮影が出来る状態を示す参考斜視図である。また、撮影をしない時には、金属はカード入れに保存することができる。
【図面の簡単な説明】
【００１１】
【図１】本考案のスマートフォンカバーの解体状態を示す参考斜視図である。
【図２】本考案のマートフォンカバーに磁石を取り付け、その上に金属を引っ付けた状態を示す参考斜視図である。
【図３】本考案の磁石と金属を磁石に引っ付けたスマートフォンカバーのスマートフォンを手に持ち、簡単に撮影が出来る状態を示す参考斜視図である。
【実施例】
【００１２】  具体的には、スマートフォンカバーにおいて、表側シート部と裏側シート部の厚紙にそれぞれ穴を開けて、磁石を載せて両方の磁石が金属に引っ付くことにより、今まで撮影のたびに揺れていた表側シート部が動くことは無くなり、撮影が可能となった。以上が本考案に係るスマートフォンカバーの構成の説明であり、本考案の大きな特徴といえる。
【符号の説明】
【００１４】  １    磁石
２    シート
３    厚紙
３ａ    表側シート部の厚紙
３ｂ    裏側シート部の厚紙
４    カード入れ
５    留め具
６    磁石取り付け穴
７    金属
８    スマートフォン
９    ２つ折り部
１０    手
１１    合わせる
１２    表側シート部
１３    裏側シート部
１４    カード入れ
【図１】
0003234832.tif 000003
【図２】
0003234832.tif 000004
【図３】
0003234832.tif 000005
【手続補正書】
【提出日】令和3年8月6日(2021.8.6)
【手続補正１】
【補正対象書類名】実用新案登録請求の範囲
【補正対象項目名】請求項２
【補正方法】変更
【補正の内容】
【請求項２】
スマートフォンカバーに使用する前記金属に、色、模様を付けることを特徴とする請求項１に記載のスマートフォンカバー。
(57)【要約】【課題】幼少児にとって勉強や読書のステージ、ままごと等遊びのステージ、或いは衣類等の陳列や本棚及びグッズ収納箱など、様々なステージを一つの家具製品で与えられるような多目的デスクを提供する。【解決手段】左右の側板１ａ，１ｂの全体形状が、下辺が上辺より長く前方に突出した縦長の略直角台形になるようにし、それらを所定間隔を隔てて平行に垂立させた最上部に屋根板２を設けて、その下に丸棒３を着脱ないし移動可能状に水平に設け、その下に所定間隔を隔てて長方形状の上段板４ａと、更にその下に所定間隔を隔てて略同形同大の下段板４ｂとをそれぞれ着脱ないし移動可能状に設ける。【選択図】図１
0003234833.tif 000002
【実用新案登録請求の範囲】
【請求項１】
左右の側板の全体形状が、下辺が上辺より長く前方に突出した縦長の略直角台形であり、それらを所定間隔を隔てて平行に垂立させた最上部に屋根板が設けられるとともに、その下に丸棒が着脱ないし移動可能状に水平に設けられ、その下に所定間隔を隔てて長方形状の上段板と、更にその下に所定間隔を隔てて略同形同大の下段板とをそれぞれ着脱ないし移動可能状に設けられていることを特徴とする幼少児用多目的デスク。
【考案の詳細な説明】
【技術分野】
【０００１】この考案は、幼少児向けの遊びや学び及び収納具等を兼ねるような多目的のデスク類に関する。
【背景技術】
【０００２】従来より、幼少児用の読書や学習用の机、ままごと等の遊び具、或いはそれに関わるグッズ等の収納箱（シェルフ）などは、それぞれ別個に独立したものとして生産、供給されているのが実情である。
【考案の開示】
【考案が解決しようとする課題】
【０００３】このように別個に独立したものとして幼少児に与えられていると、それぞれが場所をとるばかりか、幼少児のモチベーションがなかなか一致一致しないために、それらの何れかに片寄ったり乱雑になりがちであった。【０００４】本考案はかかる問題点を解決して、勉強や読書のステージ、ままごと等遊びのステージ、或いは衣類等の陳列や本棚及びグッズ収納箱など、様々な多目的のステージを一つの家具製品で提供できるようにすることを課題とする。
【課題を解決するための手段】
【０００５】上記課題を解決するため本考案においては図面に示すように、左右の側板１ａ，１ｂの全体形状が、下辺が上辺より長く前方に突出した縦長の略直角台形になるようにし、それらを所定間隔を隔てて平行に垂立させた最上部に屋根板２を設けて、その下に丸棒３を着脱ないし移動可能状に水平に設け、その下に所定間隔を隔てて長方形状の上段板４ａと、更にその下に所定間隔を隔てて略同形同大の下段板４ｂとをそれぞれ着脱ないし移動可能状に設けて、本考案の幼少児用多目的デスクとする。この上段板４ａと下段板４ｂは上下逆に入れ替えることもできる。【０００６】ここにおいてとりあえず名称を「多目的にデスク」としたが、実際には在来の机の概念を超越した「ままごとデスク」その他の呼称で多目的に用いても良い。【０００７】例えば上部に水平に設ける丸棒３は、ハンガーなど衣類を吊るすためのものであり、上段板４ａは、原則として机とは程遠いままごと用ステージを提供するためのものである。【０００８】その上段板４ａには、図１に例示したようにままごと炊事用として、台所で使う加熱器を模した疑似コンロ５や、排水槽を模した疑似水槽６を設けることなどは、任意とする。【０００９】この上段板４ａは、側板１ａ，１ｂの比較的上方の幅狭の箇所に設けられるため、その前部は若干前方に飛び出る形となる。逆に下段板４ｂの前部は若干後方に引っ込む形となるのを原則とするが、この下段板４ｂも読書や勉強用の机板としたり、或いは本棚やシェルフ替わりとすることなど任意である。【００１０】この本考案の多目的デスクは、接合用コースレット等以外ほとんど木材のみで製作可能である。例えば丸棒３を着脱ないし移動可能状に水平に設けることは、側板１ａ，１ｂの内側上部のしかるべき箇所に丸棒３の両端を受け支えるＵ字凹付き板体（図示せず）を複数個設ければよく、また上段板４ａや下段板４ｂを着脱ないし移動可能状に設けることも、側板１ａ，１ｂの内側下部のしかるべき箇所に、その側板両横部を水平に支えたり取り外し又はスライドさせることのできるコ字状凹部７を要所に形成すれば足りる。
【考案の効果】
【００１１】本考案の幼少児用多目的デスクは、遊びやまね事を通して学んでいくという幼少児特有の感性に甚だ合ったものとなり、型にはまった在来の机と違って堅苦しい勉強を強いるイメージがないから幼少児が喜んでこれに取り組むこととなり、従って楽しみながら学習したりひらめきなど創造力も培われ、また同時に部屋の乱雑さを無くし健康的な環境作りに役立つなど、多大な効果がある。
【考案を実施するための形態】
【００１２】一対の側板１ａ，１ｂにおいて上辺を約２０ｃｍ、下辺を約４０ｃｍ、厚さ約２ｃｍとする直角台形状の桧板とし、両者を約７０ｃｍ隔てて平行垂立させ、その最上部を縦約２０ｃｍ、横約７０ｃｍ、厚さ約１２ｍｍの桧板で連結して屋根板２とし、その下の約１０ｃｍを隔てて直径約２ｃｍ、長さ約７０ｃｍの木製丸棒３を前記したように着脱ないし移動可能状に水平に設け、その下に約３０ｃｍを隔てて縦約３０ｃｍ、横約７０ｃｍ、厚さ約１２ｍの長方形状桧製の上段板４ａと、更にその下約３０ｃｍを隔てて同形同大の桧製下段板４ｂとをそれぞれ前記したしたように着脱ないし移動可能状に設ける。
【００１３】上段板４ａの上面には疑似コンロ５を模した桧製薄板を貼着し、その隣に金属板製疑似水槽６を収めるための直径約１５ｃｍの円孔を設ける。なお本考案はかかる例に限定されるものでないことは勿論である。
【産業上の利用可能性】
【００１５】本考案の幼少児用多目的デスクは、育児におけるニーズが甚だ高く、自然環境にも好ましいものであり、また現実的に製作上の難点もないから、産業上の利用可能性は十分にあるといえる。
【図面の簡単な説明】
【００１６】
【図１】本考案一例を前方斜め上方より見た見取図
【図２】本考案一例の側面図
【符号の説明】
【００１７】１ａ，１ｂ……側板
２……屋根板
３……丸棒
４ａ……上段板
４ｂ……下段板
５……疑似コンロ
６……疑似水槽
７……コ字状凹部
【図１】
0003234833.tif 000003
【図２】
0003234833.tif 000004
(57)【要約】      （修正有）【課題】ガス漏れ及び汚れによる性能の低下を計測する電力計測器を提供する。【解決手段】電力計測器１は、壁面コンセントとエアコンのコンセントの間に中継され、エアコンに負荷をかけ、瞬間消費電力の最大値と、計測したエアコンのスペックにおける最大消費電力を、比較する。１００Ｖと２００Ｖの入出力端子を持ち、エアコンに最大負荷をかけ、その数値を表示することができる。【選択図】図１
0003234831.tif 000002
【実用新案登録請求の範囲】
【請求項１】
エアコンの最大運転時における瞬間消費電力を測定することで、ガス漏れ、汚れによる性能の低下を計測する為の電力計測器
【考案の詳細な説明】
【技術分野】
【０００１】  本考案は、壁面コンセントとエアコンコンセントの間に電力測定器を中継し、ガス漏れ及び汚れによる性能の低下を計測する
【背景技術】
【０００２】  エアコンのガス漏れにより、消費電力が低下、また汚れによる性能の低下が、目視では判断が難しく、マニホールドゲージなどで計測するなど専門的な知識を必要としていた。
【考案の概要】
【考案が解決しようとする課題】
【０００３】  エアコンの性能の低下を、電力測定器を使用し、数値に表すことで解決している。
【課題を解決するための手段】
【０００４】  エアコンに最大消費電力となるよう風量や温度を設定し、そのエアコンの性能表における最大消費電力を比較することで診断が可能となる。
【考案の効果】
【０００５】  本考案は、故障や、性能低下しているエアコンを最大消費電力運転させる事で、短時間で診断できる効果がある。
【図面の簡単な説明】
【０００６】
【図１】電力測定器（１００Ｖ２００Ｖコンセント入出力あり）正面図
【考案を実施するための形態】
【０００７】  入力用に１００Ｖ埋込コンセントと２００Ｖ埋込コンセントと出力用のコンセントを配線し、中継できる形とする。
【符号の説明】
【０００８】１  １００Ｖ２００Ｖ電力測定器
２  ２００Ｖ埋込コンセント
３  １００Ｖ埋込コンセント
４  １００Ｖ２００Ｖ出力用コンセント
【図１】
0003234831.tif 000003
【手続補正書】
【提出日】令和3年8月5日(2021.8.5)
【手続補正１】
【補正対象書類名】実用新案登録請求の範囲
【補正対象項目名】全文
【補正方法】変更
【補正の内容】
【実用新案登録請求の範囲】
【請求項１】
壁面コンセントとエアコンコンセントの間に中継されエアコンの最大運転時における瞬間消費電力を測定することでガス漏れ汚れによる性能の低下を計測する電力計測器
(57)【要約】【課題】  本考案は、傘や杖等の長尺状の使用物品の非使用時にそれらを一時的に立てかけることを目的とする小型かつ簡単な構成のホルダーを提供する。【解決手段】  本考案に係るホルダー１０は、周囲を外皮１１で包んだ吸着し合う一対の磁石１２ａ，１２ｂと、この一方の磁石１２ａを一時保持個所に取り付ける一方の取付部材１３ａと、他方の磁石１２ｂを長尺状の使用物品に取り付ける他方の取付部材１３ｂと、を有する。【選択図】図１
0003234834.tif 000002
【実用新案登録請求の範囲】
【請求項１】
周囲を外皮で包んだ吸着し合う一対の磁石と、この一方の磁石を一時保持個所及び上記他方の磁石を長尺状の使用物品に取り付ける取付部材と、を有することを特徴とするホルダー。
【考案の詳細な説明】
【技術分野】
【０００１】  本考案は、傘や杖等の長尺状の使用物品を使用しない場合に、適当な一時保持個所へ一時的に立てかけるためのホルダーに関するものである。
【背景技術】
【０００２】  傘や杖等の長尺状の使用物品を使用しない場合に倒れてしまうことを防止する目的とするホルダーが種々提案されている（下記先行技術文献参照）。
【先行技術文献】
【特許文献】
【０００３】
【特許文献１】特開２００３−１２５８３２号公報
【特許文献２】実用新案登録第３１８２５４２号公報
【考案の概要】
【考案が解決しようとする課題】
【０００４】  上記先行技術文献は、形状が大きく、常時持ち歩くには不便である。
【課題を解決するための手段】
【０００５】  このような問題を解決するために、本考案のホルダーは、周囲を外皮で包んだ吸着し合う一対の磁石と、この一方の磁石を一時保持個所及び上記他方の磁石を長尺状の使用物品に取り付ける取付部材と、を有するものである。
【考案の効果】
【０００６】  本考案に係るホルダーは、小型かつ簡単な構成であることから、持ち運びに便利であり、使用方法も容易で子供から年配者まで使用者を限定せずに使える。
【図面の簡単な説明】
【０００７】
【図１】  本考案の実施例の構成を説明する写真である。
【図２】  本考案の実施例の使用方法を説明する写真である。
【考案を実施するための形態】
【０００８】  本考案に係るホルダーは、周囲を外皮で包んだ吸着し合う一対の磁石と、上記一方の磁石を一時保持個所に取り付ける一方の取付部材と、上記他方の磁石を長尺状の使用物品に取り付ける他方の取付部材とを有するもので、利便性が高いホルダーである。
【実施例】
【０００９】  図１で本考案の実施例の構成を説明すると、１０は、本考案に係るホルダーで、夫々を撥水処理をした布や合成樹脂等の外皮１１で周囲を包んだ吸着し合う５００円硬貨程度の大きさの一対の磁石１２ａ，１２ｂと、各磁石１２ａ，１２ｂを任意の物に固定するゴムや紐等の取付部材１３ａ，１３ｂからなる。【００１０】  すなわち、図２で示すように、ホルダー１０を構成する一方の磁石１２ａをテーブル、椅子、かばん等の一時保持個所Ａに取り付け、ホルダー１０を構成する他方の磁石１２ｂを傘や杖等の長尺状の使用物品Ｂに取り付け、磁石１２ａ，１２ｂを相互に吸着させることにより、ホルダー１０を介して一時保持個所Ａに使用物品Ｂを固定するものである。【００１１】  そして、使用物品Ｂの非使用時には、ホルダー１０の一方の磁石１２ａが一方の取付部材１３ａを介して一時保持個所Ａである使用者の腰位置のバッグＡに取り付けられると共に、ホルダー１０の他方の磁石１２ｂが他方の取付部材１３ｂを介して使用物品である杖Ｂに取り付けられて、ホルダー１０を介して一時保持個所Ａに使用物品Ｂを固定している。【００１２】  また、使用物品Ｂの使用時には、ホルダー１０は、使用物品Ｂにまとめて固定しておくか、あるいは、バッグ等の収納部材（図示しない）に収納しておく。【００１３】  なお、本考案は、上記実施例に限定されるものではなく、材質の選択や形状等において種々の変形が可能であることは言うまでもない。
【符号の説明】
【００１４】１０  ホルダー
１１  外皮
１２ａ，１２ｂ  磁石
１３ａ，１３ｂ  取付部材
Ａ  一時保持個所
Ｂ  使用物品
【図１】
0003234834.tif 000003
【図２】
0003234834.tif 000004
(57)【要約】      （修正有）【課題】球形状で飲み込みやすいという効果を有し、且つ内部の容積を精確に計算でき、内容物の用量を精確に制御可能になり、コストを効果的に管理できる、球形カプセル構造を提供する。【解決手段】円形を呈している開口端をそれぞれ有している半球シェル形状を呈している２つの食用包装材料１を備え、２つの包装材料は開口端が互いに当接し、且つ当接箇所は皮膜２により接合され、２つの包装材料が包囲することにより食用内容物の充填に用いられる収容部が形成されている。皮膜の外側には凹円弧形状が形成されている。【選択図】図２
0003234836.tif 000002
【実用新案登録請求の範囲】
【請求項１】
円形を呈している開口端をそれぞれ有している半球シェル形状を呈している２つの食用包装材料を備え、２つの包装材料は前記開口端が互いに当接し、且つ当接箇所が皮膜により接合されて完全な球形構造を構成し、２つの包装材料が包囲することにより食用内容物の充填に用いられる収容部が形成され、前記皮膜の外側には凹円弧形状が形成されていることを特徴とする球形カプセル構造。
【考案の詳細な説明】
【技術分野】
【０００１】
本考案は、食品包装構造に関し、より詳しくは、球形カプセル構造に関する。
【背景技術】
【０００２】
カプセルは食品や薬品の包装構造であり、外殻が内容物を包装し、ユーザーが直接飲み込めるようにしている。従来のカプセルは図４に示すように２つの筒状のハーフシェル４１、４２を有し、そのうちの一方のハーフシェル４２がもう一方のハーフシェル４１に嵌入し、両者の重畳する部分が係合することで固定され、内部に内容物が包装されるようになっている。しかしながら従来のカプセルは細長い形状に形成されているため、飲み込む際に食道に詰まって異物感を感じさせやすく、多くのユーザーがカプセル製の製品を敬遠していた。
【考案の概要】
【考案が解決しようとする課題】
【０００３】
上述の問題を改善するため、業界ではロータリー式製法またはシームレス式製法により製造する球形カプセルを開発し、飲み込みやすいものにしている。しかしながら、ロータリー式製法やシームレス式製法で製造された球形カプセルは、その形状が真球形状ではなく、水滴形状に類似したものであり、変形しやすいため、外観が一致するように完全性を保持できなかった。また、形状が安定的ではないため、内部の容積も精確に制御できず、カプセルに填入する内容物の用量も精確に管理できず、製品の品質が不安定になり、コスト管理も難しいという欠点があった。
【０００４】
そこで、本考案者は上記の欠点が改善可能と考え、鋭意検討を重ねた結果、合理的設計で上記の課題を効果的に改善する本考案の提案に至った。
【０００５】
本考案は、上記問題点に鑑みて本発明者の鋭意研究により成されたものであり、その目的は、球形カプセル構造を提供することにある。換言すれば、本考案の球形カプセル構造は密封性が高く、飲み込みやすく、真球に近い形状であるため内部の容積を精確に計算でき、カプセル中に充填した内容物の用量を精確に制御し、コストを効果的に管理する効果を有している。
【課題を解決するための手段】
【０００６】
上記課題を解決するために、本考案のある態様の球形カプセル構造は、円形を呈している開口端をそれぞれ有している半球シェル形状を呈している２つの食用包装材料を備え、２つの包装材料は前記開口端が互いに当接し、且つ当接箇所が皮膜により接合され、２つの包装材料が包囲することにより食用内容物の充填に用いられる収容部が形成されている。前記皮膜の外側には凹円弧形状が形成されている。
【０００７】
本明細書及び図面の記載により、少なくとも、以下の事項が明らかとなる。
【図面の簡単な説明】
【０００８】
【図１】本考案の一実施例に係る球形カプセル構造を示す外観斜視図である。
【図２】本考案の一実施例に係る球形カプセル構造を示す上面図である。
【図３】本考案の一実施例に係る球形カプセル構造を示す部分概略構成図である。
【図４】従来のカプセルを示す外観斜視図である。
【考案を実施するための形態】
【０００９】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１０】
以下、本考案の球形カプセル構造について、図１乃至図３を参照しながら説明する。
【００１１】
本考案の球形カプセル構造は、ゼラチン、グリセリン、または他の食用に適した材料で製造されている２つの食用包装材料１を備えている。この２つの包装材料１は型により半球シェル形状に成形され、一端には円形を呈している開口端１１を有している。また、２つの包装材料１の色は実際の需要に応じて調製可能であり、例えば、透明、黒色、褐色、赤色等に調製可能である。
【００１２】
上述したように、２つの包装材料１はその開口端１１が互いに当接し、且つ当接箇所は加熱し溶接した後に皮膜２により接合され、これにより完全な球形構造が構成され、２つの包装材料１が包囲することにより食用の内容物の充填に用いられる収容部３が形成されている。上述の内容物は液体、半液体、または油性物質の保健食品や薬品である。２つの包装材料１は型により成形され、綿密であり、前記皮膜２により緊密に接合され、好適な密封性を有し、内容物の漏洩を防止し、異物が包装材料１内に侵入して内容物が汚染されるのを防いでいる。本実施例では、前記皮膜２の外側には凹円弧形状が形成され、本考案に係る球形カプセルの外観全体が環形の浅い溝を有している。
【００１３】
本考案の特徴について下述する。２つの包装材料１を組み合わせた後に真球形状の球形構造が構成され、型により成形されているため、真球形状は成形過程で安定を保持し、且つ自然な状態では変形せず、飲み込む際に食道をスムーズに通過して異物感を与えない。食道に詰まることもなく、飲み込みやすいという効果を有している。また、カプセル内部の収容部３も型により成形されているため、収容部３も中空状の真球形を呈し、真球形状であるため容積も精確に計算でき、製造過程でカプセルに充填する内容物の用量も精確に制御でき、各カプセルの大きさが一致し、コストを効果的に管理する目的を達成している。また、本考案に係る球形カプセル構造は真球形の外観を呈しているため、従来の非真球形状のカプセルの外観とは区別され、ブランドの質感及び認知度を高めることが可能である。
【００１４】
本考案は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００１５】
１  包装材料
１１  開口端
２  皮膜
３  収容部
４１  ハーフシェル
４２  ハーフシェル
【図１】
0003234836.tif 000003
【図２】
0003234836.tif 000004
【図３】
0003234836.tif 000005
【図４】
0003234836.tif 000006
(57)【要約】      （修正有）【課題】縦方向に折り返した複数のスロープのうち一番下のスロープとその上のスロープに並んだ玉のうちの一番下の玉を１個取り出すことによってできる隙間を埋めるように残りの玉がスロープを整然とずれ落ちる玩具を提供する。【解決手段】外見で識別でき直径と重さが同じで重心が中心にある複数個の玉と以下のように配置した２つ以上のスロープとから成る装置を用意する：（１）スロープは玉の中心がスロープの中央線から玉の半径より大きく左右にずれて転がることがない構造とする、（２）一番上以外のスロープの上端には湾曲部を設ける、（３）隣り合う２つのスロープの上のスロープの下端と下のスロープの上端との間の水平距離は玉の直径の２倍より小さくする、（４）一番下のスロープの下端にはストッパーを設けて行き止まりにする。【選択図】図２
0003234855.tif 000002
【実用新案登録請求の範囲】
【請求項１】
外見で識別でき直径と重さが同じで重心が中心にある複数個の玉と以下のように配置した２つ以上のスロープとから成る玩具：（１）スロープは玉の中心がスロープの中央線から玉の半径より大きく左右にずれて転がることがない構造とする、（２）一番上以外のスロープの上端には湾曲部を設ける、（３）隣り合う２つのスロープの上のスロープの下端と下のスロープの上端との間の水平距離は玉の直径の２倍より小さくする、（４）一番下のスロープの下端にはストッパーを設けて行き止まりにする。
【考案の詳細な説明】
【技術分野】
【０００１】
本考案は、複数個の玉と縦方向に折り返した複数個のスロープから成る玩具に関するものである。
【背景技術】
【０００２】
縦方向に折り返した複数のスロープの最上部から玉を転がす玩具は市販されているが、一番下のスロープとその上のスロープに並んだ玉のうちの一番下の玉を１個取り出すことによってできる隙間を埋めるように残りの玉がスロープをずれ落ちるのを観察する玩具はなかった。
【先行技術文献】
【非特許文献】
【０００３】
【非特許文献１】ベック社(BECK)カタログ、商品名「クーゲルバーン」
【考案の概要】
【考案が解決しようとする課題】
【０００４】
縦方向に折り返した複数のスロープのうち一番下のスロープとその上のスロープに並んだ玉のうちの一番下の玉を１個取り出すことによってできる隙間を埋めるように残りの玉がスロープを整然とずれ落ちる玩具を提供する。
【課題を解決するための手段】
【０００５】
外見で識別でき直径と重さが同じで重心が中心にある複数個の玉と以下のように配置した２つ以上のスロープとから成る装置を用意する：（１）スロープは玉の中心がスロープの中央線から玉の半径より大きく左右にずれて転がることがない構造とする、（２）一番上以外のスロープの上端には湾曲部を設ける、（３）隣り合う２つのスロープの上のスロープの下端と下のスロープの上端との間の水平距離は玉の直径の２倍より小さくする、（４）一番下のスロープの下端にはストッパーを設けて行き止まりにする。
【考案の効果】
【０００６】
本考案の玩具は、一番下の玉を１個取り除いた時にできる隙間を埋めるように整然とずり落ちる様子を観察できるという利点がある。
【図面の簡単な説明】
【０００７】
【図１】図１は、一実施例として、３つのスロープの末端まで１８個の玉を並べた状態を示す。
【図２】図２は、一番下の玉を１個取り除いた瞬間の状態を示す。
【図３】図３は、残りの１７個の玉が３つのスロープの末端までずり落ちた状態を示す。
【考案を実施するための形態】
【０００８】
外見で識別でき直径と重さが同じで重心が中心にある複数個の玉と以下のように配置した２つ以上のスロープとから成る装置を用意する：（１）スロープは玉の中心がスロープの中央線から玉の半径より大きく左右にずれて転がることがない構造とする、（２）一番上以外のスロープの上端には湾曲部を設ける、（３）隣り合う２つのスロープの上のスロープの下端と下のスロープの上端との間の水平距離は玉の直径の２倍より小さくする、（４）一番下のスロープの下端にはストッパーを設けて行き止まりにする。
【実施例１】
【０００９】
３つのスロープの末端まで各色９個２色合計１８個の玉を色が交互になるように並べ、一番下の玉を１個取り除き、取り除いた１個を、取り除いた順番に最上部に載せると、できた隙間を詰めるように残りの１７個の玉が３つのスロープの末端まで並び、操作毎に２つの似たパターンの模様が出現した。
【実施例２】
【００１０】
３つのスロープの末端まで各色６個３色合計１８個の玉を３色が反復するように並べ、一番下の玉を１個取り除き、取り除いた１個を、取り除いた順番に最上部に載せると、できた隙間を詰めるように残りの１７個の玉が３つのスロープの末端まで並び、操作毎に３つの似たパターンの模様が出現した。
【産業上の利用可能性】
【００１１】
すべての角を面取りし、柔らかい素材の直径が大きく口に入れる恐れがないボールを玉として用いれば幼児用玩具として、色々な色の玉を複数個用いて似たパターンの出現を観察させれば算数の教材として、スロープの一番下の玉を取り除くと、残りの玉が、できた隙間を埋めながら、ゆっくりずり落ち、湾曲部で詰まったり、取り残されて滞留したりする玉がなく、整然とした玉の流れを観察させれば理科の教材として、支えがなくなったら何が起きるかを体験させれば安全教育や防災教育の教材として利用できる。また手の運動機能に障害が生じた人のリハビリ用品としても利用できる。さらに球形の商品の陳列にも利用可能である。
【図１】
0003234855.tif 000003
【図２】
0003234855.tif 000004
【図３】
0003234855.tif 000005
(57)【要約】      （修正有）【課題】見舞する側の心情、又受けた側の気持を、安心、暖かい、気持ちにさせられるに、相応しい、見舞専用の包み袋を提供する。【解決手段】既製の祝袋の大きさ（タテ１８．５ｃｍ  ヨコ１０．５ｃｍ）に一般的に穏やかで希望、明かるさをイメージできるであろう緑、黄緑、及び、銀色の色あいを用いた（緑４本、黄緑２本、銀１本、計７本  各４６ｃｍ）の水引き１で結ばれた包み袋とする。【選択図】図１
0003234841.tif 000002
【実用新案登録請求の範囲】
【請求項１】
本案は病気、怪我をされた方を、祝う色（紅白）でもなく、不幸と決めつける（白黒）でもなく、（緑、黄緑、銀色）という、一般的に希望、平穏、等、前向きになれるであろう、色あいを用い、水引きという、軽すぎず、重すぎない、素材を用いることによって、見舞という、本来の目的が果たせる、見舞専用の包み袋。
【考案の詳細な説明】
【技術分野】
【０００１】本案は、病気怪我等、見舞する時の見舞専用の包み袋である。
【背景技術】
【０００２】元来日本では、祝儀の時は、紅白の袋、不祝儀の時は、白黒を、用いて、その時々の気持ちを表わしている。
【考案の概要】
【考案が解決しようとする課題】
【０００３】病気に、かぎらず、見舞というものは、祝うことではなく、特別な凶事でもない。したがって、紅白で、喜んでいるような印象を与えかねないので見舞う時は、恢復を願い、穏やかなる、心情を相手に伝えるべく、吉と凶の中間の意思を伝える適当な形式を示そうとするものである。
【課題を解決する手段】
【０００４】本考案は、病気、怪我をされた方を、祝う色（紅白）でもなく、不幸と決めつける（白黒）でもなく（緑、黄緑、銀色）という一般的に、希望  平穏、等、前向きに、なれるであろう、色あいを用い、水引きという軽すぎず重すぎない、素材を用いることによって、見舞うという本来の目的が果たせるのではないか、と考える。
【考案の効果】
【０００５】１般に、見舞をしようとして、小売り店に出向いた時、祝儀、見舞、不祝儀と並んでいれば、本人は、見舞の包みを探しているのであるから、赤、緑、黒の中の緑の水引きの見舞専用の包みを求めると考えられる。
【図面の簡単な説明】
【０００６】
【図１】本考案の見舞専用の包み袋の実例を示す正面図である．
【考案を実施するための形態】
【０００７】見舞専用のデザイン、形式の包を提供する。
見舞する側の心情、又受けた側の気持ちを、安心、暖かい、気持ちにさせられるに、相応しい、色、デザインを考えると、緑、黄緑、銀という色あいの水引を、使って、軽く、包を結わえるという、形が適当であると思われる。
【０００８】本案は既製の祝袋の大きさ（タテ１８．５ｃｍ、ヨコ１０．５ｃｍ）に一般的に穏やかで希望、明かるさをイメージできるであろう、緑、黄緑、銀（緑４本、黄緑２本、銀１本、計７本  各４６ｃｍ）の水引きを用意し、たて長に置いた時の短かい方の一辺を横に一周して、前で結ぶ（位置そのものは、従来どうり）というものである。
又、結んだ先を１本づつ３、４回カールして、可愛らしさと、花やかさも、そえるという意図である。
このことによって、見舞という、本来の、相手を労わる、
という、気持が、表せる。
【０００９】今までのものは、慶事と、凶事に、片寄り過ぎると考えたため。
上部に見舞とはっきり、表示する必要がある。
【付号の設明】
【００１０】１，水引き
２  先たん
【図１】
0003234841.tif 000003
【手続補正書】
【提出日】令和3年8月12日(2021.8.12)
【手続補正１】
【補正対象書類名】実用新案登録請求の範囲
【補正対象項目名】全文
【補正方法】変更
【補正の内容】
【実用新案登録請求の範囲】
【請求項１】
緑，黄緑，及び銀色の色あいを用いた、水引きで、結ばれた、見舞専用の包み袋。
(57)【要約】      （修正有）【課題】たまごかけご飯を食する際に、便利に使用できる匙（スプーン）を提供する。【解決手段】スプーンの皿部の左（右利き者用）または右（左利き者用）の側面に複数の切れ目４を入れることにより、生たまごの攪拌を可能とし、箸などの攪拌用のカトラリーの使用を不要とする。切れ目（ギザ部）４の突起部５の先端および切れ目の端の角の部分６は、安全管理のため一定の丸みを持たせるとともに、箸などでの攪拌と遜色ない仕様とした。【選択図】図１
0003234845.tif 000002
【実用新案登録請求の範囲】
【請求項１】
持ち手部に設けられた皿部の左または右の側面に、複数の切れ目が入っていることを特徴とするスプーン。
【考案の詳細な説明】
【技術分野】
【０００１】  本考案は、たまごかけご飯を食する際に使用するスプーン（匙）に関するものである。
【背景技術】
【０００２】  たまごかけご飯を食する際に匙（スプーン）を使用する場合、生たまごを混ぜるときに、食する匙以外に攪拌のために箸を別途使用する必要があった。
【考案の概要】
【考案が解決しようとする課題】
【０００３】  たまごかけご飯を食する際に匙（スプーン）を使用する場合、生たまごを混ぜるときに、食する匙以外に攪拌のために箸を別途使用する必要があり、洗い物が増えることになる。これを解決するため、食する匙に生たまごの攪拌機能を設け、箸などの使用を不要とした。
【課題を解決するための手段】
【０００４】  匙（スプーン）だけでは、生たまごを攪拌しにくいため、本考案は匙の側面に複数の切れ目（ギザ部）を設け、この匙のみで攪拌して食することを可能とした。【０００５】  また、ギザ部は匙の左側または右側に設けることにより、右利き者用と左利き者用を別とした。
【考案の効果】
【０００６】  本考案による匙（スプーン）によれば、たまごかけご飯を食する際に、生たまごの攪拌と食事がひとつで行え、箸などの攪拌カトラリーが不要となり、その準備や後片付け（洗浄）をなくすことができる。【０００７】  また、匙の材料を木製とすることにより、口当たりの良いものとした。さらに、加工後にクルミオイルを塗布することにより、ギザ部の保護をしている。
【図面の簡単な説明】
【０００８】
【図１】本考案にかかる右利き者用スプーンの一例を示す、斜視図である。
【図２】本考案にかかる左利き者用スプーンの一例を示す、斜視図である。
【考案を実施するための形態】
【０００９】  以下に、本考案に係るスプーンの実施例を図１と図２に基づいて説明する。本考案に係るスプーンの一例を示す図１および図２において、１は皿部の表面、２は皿部の裏面、３は持ち手部、４は切れ目部（ギザ部）、５は切れ目の突起部、６は切れ目の端の角部である。
【００１０】  ４の切れ目部（ギザ部）にて、器に割入れた生たまごを攪拌する。攪拌後にご飯を入れて、そのまま匙（スプーン）として食する。
【符号の説明】
【００１１】１  皿部の表面
２  皿部の裏面
３  持ち手部
４  切れ目部（ギザ部）
５  切れ目の突起部
６  切れ目の端の角部
【図１】
0003234845.tif 000003
【図２】
0003234845.tif 000004
(57)【要約】      （修正有）【課題】学校、百貨店、施設等の催事で冷たい食品を取り扱う場合や、食堂など飲食店、ホテルなどで行われるビュッフェなどで、食品への害虫飛来、飛沫汚染や埃等の付着を軽減し、電気を使用せず食品の保冷をする食品保冷ディスプレイケースを提供する。【解決手段】食品保冷ディスプレイケース８は、透明開閉カバー１、食品用容器２、保冷剤収納容器３、本体４、保冷剤から構成される。保冷剤を用いて保冷した食品の上に設けた、脱着開閉が容易な透明開閉カバー１を用いて、食品への害虫飛来、多数の人からの飛沫汚染、埃等の付着を軽減する。【選択図】図１
0003234847.tif 000002
【実用新案登録請求の範囲】
【請求項１】
上方に開閉式のカバーを設けた食品保冷ディスプレイケース。
【請求項２】
電気を使用せず食品を保冷する為に、保冷剤を収納できる容器を備えた食品保冷ディスプレイケース。
【考案の詳細な説明】
【技術分野】
【０００１】本考案は、例えば学校、百貨店、施設等の催事での使用時や、食堂など飲食店、ホテルなどで行われるビュッフェ形式等で食品への害虫飛来、飛沫汚染や埃等の付着を軽減し、電気を使用せず食品の保冷をするものである。
【背景技術】
【０００２】学校、百貨店、施設等の催事での使用時であったり、また飲食店や食堂、給食、ホテルなどで飲食を提供する方法の一つにビュッフェと称する形式があるが、食品を保冷したい場合は冷蔵ショーケースを用いる必要がある。
【考案の概要】
【考案が解決しようとする課題】
【０００３】学校、百貨店、施設等の催事で冷たい食品を取り扱う場合や、食堂など飲食店、ホテルなどで行われるビュッフェなどでは一般的には容器あるいは食器へ入れた食品をテーブル等に並べて提供する方式があるが、保冷したい食品の場合は冷蔵ショーケース等が必要となり、電源と設置場所の確保が課題となる。また設置場所を移動するのも簡単とは言い難い。また、冷蔵ショーケースの設置が難しい場合に、食器や容器に食品を入れて提供する場合、食品の温度上昇、食品への害虫飛来、多数の人からの飛沫汚染、埃等の付着などが考えられ、衛生的にも懸念がある。さらには冷蔵ショーケースは基本的には冷蔵機能のみを有する為、冷やす必要の無い食品を提供する場合には不向きである。
【課題を解決するための手段】
【０００４】本考案では、食品への害虫飛来、多数の人からの飛沫汚染、埃等の付着を軽減し且つ保冷をすることができる食品保冷ディスプレイケースであって、害虫飛来、埃等の付着や飛沫汚染を軽減する為の容易に脱着する事が可能で２方向から開閉出来、食品の出し入れが容易な透明カバーと食品を入れる容器、食品を一定時間保冷する為の保冷剤を収納する容器、それら容器等を収納する本体部から形成され電源を必要とせず設置や移動が容易な食品保冷ディスプレイケースを提供する。
【考案の効果】
【０００５】  本考案によれば、２方向から開閉可能な透明カバーを用いる事で食品への害虫飛来、多数の人からの飛沫汚染、埃等の付着を軽減し、食品の出し入れも容易となり、保冷剤を収納した容器の上に食品を入れた容器を上に重ねることで、保冷剤の冷気が食品を入れた容器に伝わり、その結果食品を一定時間保冷する事が可能である為、冷蔵ショーケースを導入する事なく、冷たい食品を提供出来るようになった。なお、保冷剤はポリアクリル酸ナトリウムを使用した物に限らず、氷やドライアイスをそのまま使用する事も可能である。食品を入れる容器については、ホテルやレストランなどで広く使われている器具を採用している。流通しているホテルパンは国際規格に準拠して、同一のサイズで製造されている為、すなわち１／１、１／２，１／３などといった規格サイズであれば、組み合わせて使用できる為汎用性の高いディスプレイが可能となっている。また、食品保冷ディスプレイケースは軽量であり、各部品が個別に構成されている為、分解洗浄及び運搬が容易である為、設置場所を限定する事なく使用が可能である。
【図面の簡単な説明】
【０００６】
【図１】本考案の食品保冷ディスプレイケースの斜視図である。
【図２】本考案の食品保冷ディスプレイケースの取付側面図である。
【考案を実施するための形態】
【０００７】以下に、図面を参照して、本願に係る発明を実施するための形態について説明する。本考案に係る食品パーテーションの構成は、上記実施形態に何ら限定されるものではなく、本発明を逸脱しない範囲で、必要に応じて変更することができる。
【０００８】図１は本考案の食品保冷ディスプレイケース８の斜視図である。
開閉カバー１はヒンジ６を中心にして２カ所ある取手７のどちらからでも開閉が可能である。
【０００９】図２は食品保冷ディスプレイケース８の取付側面図である。
透明開閉カバー１、食品用容器２、保冷剤収納容器３、本体４、保冷剤５からなる構成となっており、脱着が容易である。
【産業上の利用可能性】
【００１０】本考案に係る食品保冷ディスプレイケースは、上記の如く優れた効果を奏するものであり、飲食店や食堂、給食、ホテル、イベントなどで広範囲に好適に用いる事ができる。
【符号の説明】
【００１１】１、透明開閉カバー
２、食品用容器
３、保冷剤収納容器
４、本体
５、保冷剤
６、ヒンジ
７、取手
８、食品保冷ディスプレイケース
【図１】
0003234847.tif 000003
【図２】
0003234847.tif 000004
(57)【要約】      （修正有）【課題】簡単に設置・撤去ができ、軽量でコンパクトに収納できる携帯可能な携帯用飛沫防止パーテーションを提供する。【解決手段】携帯用飛沫防止パーテーションは、２本のスタンド部分１を強力な吸盤でテーブル等滑らかな台に設置し、伸ばした伸縮棒の上部から透明なビニール（フィルム）のシート２をかけ、上下を補助棒８にて保持安定させたパーテーションである。スタンド部分１もシールド部分のシート２も軽量でコンパクトに収納できるため、気軽に携帯し設置・撤去が可能である。【選択図】図１
0003234081.tif 000002
【実用新案登録請求の範囲】
【請求項１】
テーブル等表面が滑らかな台に強力な吸盤で２本の伸縮棒を直立させて、上下を補助棒で保持安定させたスタンド部を有した飛沫防止パーテーション。
【請求項２】
両端を袋状にした透明ビニール（フィルム）のシートを２本のスタンドの上からかぶせてシールド部分とした飛沫防止パーテーション。
【請求項３】
使用後、シールド部分の透明ビニール（フィルム）が使い捨てでき、面倒な消毒滅菌作業を必要としない  飛沫防止パーテーション。
【請求項４】
スタンド部もシールド部も軽くコンパクトに収納できるので設置・撤去が容易で気軽に携帯も可能な飛沫防止パーテーション。
【考案の詳細な説明】
【技術分野】
【０００１】  本考案は、簡単に設置・撤去ができ、軽量でコンパクトに収納できるため携帯可能な飛沫防止パーテーションに関する。
【背景技術】
【０００２】  新型コロナウィルスの感染拡大により、各所でウィルス感染の予防対策が求められている。特に密接場面、向かい合っての食事や会話等は感染を拡大させるリスクが高いと考えられており、飛沫感染を防止するために下記特許文献に示すようなパーテーションや仕切りスタンドが感染防止に使われている。
【先行技術文献】
【特許文献】
【０００３】
【特許文献１】実用新案登録第３２２９９８８号
【特許文献２】実用新案登録第３２２８４９７号
【考案の概要】
【考案が解決しようとする課題】
【０００４】  特許文献１や特許文献２のような既存のパーテーションは飛沫感染防止に効果があると期待されおり各所で設置も進んでいますが、未設置の場所も多くそういう場所での飲食や会話は感染拡大のリスクを伴います。既存のパーテーションや仕切りスタンドは重く嵩張るため日常的な外出の際にカバン等に携帯し設置して使用するのは困難でした。
本考案は前述の問題を解決しようとするものである。
【課題を解決するための手段】
【０００５】  本考案はテーブル等表面が滑らかな台に強力な吸盤で二本の伸縮棒を直立させることによりスタンド部分を構成する。【０００６】  両端を袋状にした透明ビニール（フィルム）のシートを両スタンド部分の上からかぶせてシールド部分とする。使用後は使い捨てできるので面倒な消毒滅菌作業を必要としない。【０００７】  ２本のスタンドとシールドの上下を補助棒で固定し保持安定させる。【０００８】  スタンド部分は吸盤と伸縮棒で構成されるので軽量でコンパクトに収納できる。シールド部分もアクリル板等と比べて軽く薄いので折りたため、声の通りもさほど妨げることがない。以上により問題点を解決している。
【考案の効果】
【０００９】  上記のように、本考案の携帯可能な飛沫防止パーテーションは軽量でコンパクトに収納可能である。カバンなどに携帯し対面での飲食や会話等密接場面時に容易に設置・撤去ができ、飛沫感染を防止するために役立つ。
【図面の簡単な説明】
【００１０】
【図１】  本考案の携帯可能な飛沫防止パーテーションの実施例を示す正面図である。
【図２】  本パーテーションの両端のスタンド部分、設置方法と強力な吸盤の詳細図である。
【図３】  本パーテーションのシールド部分、両端を袋状にした透明ビニール（フィルム）のシート図である。
【図４】  本パーテーションの補助棒の詳細図である。
【考案を実施するための形態】
【００１１】  テーブル等表面が滑らかな台に台座部分を吸盤にした２本の伸縮棒を直立させる。伸縮棒の部分をレバーのように立てることにより吸盤内部をより密着させ真空状態にして強力に固定してスタンド部分とする。２本の伸縮棒を伸ばし上から両端を袋状にした透明ビニール（フィルム）のシートをかぶせてシールド部分とする。補助棒で２本の
スタンドとシールドの上下を固定し保持安定させる。
【００１２】  撤去の際は補助棒を外し透明ビニール（フィルム）のシートを外し、スタンドの伸ばした伸縮棒部分を縮めて倒し、吸盤をはがす。吸着が強く剥がしにくい場合はスクレーパー等利用する。
【実施例】
【００１３】  以下、添付図面１〜４を用いて実施例を説明する。１はパーテーション両端のスタンド部分でその下部４は耐久性のあるプラスチック等適宜素材にて形成された強力な吸盤である。スタンド１の上部３の伸縮棒は金属等適宜素材で形成され、３を接地面に対して垂直に立てることにより吸盤内部をより密着させ真空状態にして１を強力に固定する。
２は透明のポリエチレン等適宜素材のシートで両端を折り返し５と７を閉じ袋状にしている。伸縮棒３の上から開口部６をかぶせてシールド部分とする。８は金属等適宜素材で形成された細めの伸縮棒である。スタンド部分の伸縮棒３とシート２を補助棒８のフック９で保持安定させる。
【符号の説明】
【００１４】１  パーテーション両端のスタンド部分
２  シールド部分の透明ビニール（フィルム）シート
３  スタンド上部  伸縮棒
４  スタンド下部  吸盤
５  袋の綴じ目
６  袋の開口部
７  袋の上部綴じ目
８  補助棒
９  フック
【図１】
0003234081.tif 000003
【図２】
0003234081.tif 000004
【図３】
0003234081.tif 000005
【図４】
0003234081.tif 000006
【手続補正書】
【提出日】令和3年5月26日(2021.5.26)
【手続補正１】
【補正対象書類名】実用新案登録請求の範囲
【補正対象項目名】全文
【補正方法】変更
【補正の内容】
【実用新案登録請求の範囲】
【請求項１】
吸盤で自立した２本のスタンドの上部から、透明フィルム又は透明ビニール袋をかけてシールド部分を形成し、テーブル等平面台上にスタンド２本を離して配置し、上下を補助棒で固定させて設置することを特徴とした携帯用飛沫防止パーテーション。
【請求項２】
伸縮棒を吸盤に接続して前記スタンドが構成されていることを特徴とする請求項１の携帯用飛沫防止パーテーション。
【請求項３】
両端を袋状にした使い捨ての薄い透明フィルムで前記シールド部分が形成されていることを特徴とした請求項１の携帯用飛沫防止パーテーション。
【請求項４】
伸縮棒とジョイントフックを組み合わせて前記補助棒が構成されていることを特徴とする請求項１記載の携帯用飛沫防止パーテーション。